(57)【要約】【課題】  ＩＰ−ＶＰＮ網や広域イーサーネット網等のデータネットワークに、従来の音声、専用線、ＡＴＭサービスを収容し、従来ネットワークが備えていたＯＡＭ情報を合わせて転送する。【解決手段】  固定帯域信号終端部８０１に入力されたＴＤＭ信号は、主信号情報を情報格納バッファ８０２に、警報情報をＯＡＭ情報検出部８０３に分離して送られる。付加情報組立部８０６は、ＯＡＭ情報検出部８０３よりＯＡＭ情報を受け取り、イーサフレームに付加するＯＡＭ付加情報を生成する。情報格納バッファ８０２より読み出されたデータと付加情報組立部８０６により組み立てられた情報は、多重部８０７により多重され、ＭＡＣフレーム組立部８０８によりＭＡＣフレームに組み立てられ、物理インタフェース部８０９を介してパケット網に送出される。【選択図】  図７
2005244470.tif 000002
【特許請求の範囲】
【請求項１】
固定帯域信号をパケット信号に変換およびその逆変換を行い、伝送区間の通信状態を相互に伝達し合う保守管理情報をパケット形式のデータの内部に付加情報として埋め込むための伝送装置であって、
固定帯域信号を終端し、主信号情報と保守管理情報とに分離する第１固定帯域信号終端部と、
前記第１固定帯域信号終端部の出力から主信号情報を受け取り格納する第１情報格納バッファと、
前記第１情報格納バッファから固定帯域信号の主信号情報の読み出しを制御する第１同期読出制御部と、
前記第１固定帯域信号終端部の出力から保守管理情報を検出する保守管理情報検出部と、
前記保守管理情報検出部及び前記第１同期読出制御部から出力された情報に基づき、時分割多重回線での物理レイヤでの警報を伝達するためのアラーム又は回線品質を伝達するためのエラーに関する通信状態表示情報と、固定帯域信号の先頭位置を示すポインタとを含む、パケット信号に付加するための付加情報を生成する付加情報組立部と、
前記第１情報格納バッファから出力された固定帯域信号を多重又は分離した所定長のデータと、前記付加情報組立部から出力された付加情報とをペイロードに含め、ルーチング情報を含むヘッダを付加してフレームを組み立て、パケット信号として出力するためのフレーム組立部と、
パケット信号を終端するフレーム終端部と、
前記フレーム終端部が受信したパケット信号の付加情報を終端する付加情報分離部と、
前記フレーム終端部が受信したパケット信号の主信号情報を受け取り格納する第２情報格納バッファと、
前記第２情報格納バッファから固定帯域信号の読み出しを制御する第２同期読出制御部と、
前記保守管理情報検出部及び前記付加情報分離部より受信した情報をもとに、保守管理情報を組み立てる保守管理情報付与部と、
前記第２情報格納バッファより読み出された主信号情報と前記保守管理情報付与部より受信した保守管理情報とに基づき固定帯域信号を組み立て、送出する第２固定帯域信号終端部と、
を備えた前記伝送装置。
【請求項２】
請求項１に記載の伝送装置において、前記付加情報に、さらに、フレームの欠落、重複又は順序入れ替わりを検出するためのシーケンス番号情報を含む伝送装置。
【請求項３】
請求項１に記載の伝送装置において、前記付加情報に、さらに、情報チャネルの多重化方法を示す信号ラベル情報を含む伝送装置。
【請求項４】
請求項１に記載の伝送装置において、前記付加情報に、さらに、フレームの情報長を示すフレーム長情報を含み、
前記フレーム終端部は、前記フレーム長情報を参照して複数のフレームを識別する伝送装置。
【請求項５】
請求項１に記載の伝送装置において、前記付加情報は、信号の伝達方向の通信状態を通知する前方警報情報と、前記前方警報情報に基づいて対向側に通信可否状態を伝える後方警報情報を含む伝送装置。
【請求項６】
請求項１に記載の伝送装置において、前記保守管理情報検出部、前記付加情報組立部及び／又は前記保守管理情報付与部は、物理インタフェース部の警報状態を情報チャネルの通信可否状態に変換して情報伝送方向に伝える前方警報情報と、前記前方警報情報に基づいて対向側に通信可否状態を伝える後方警報情報を生成し、付加情報の通信状態表示情報として含める伝送装置。
【請求項７】
請求項１に記載の伝送装置において、前記フレーム終端部は、
受信シーケンス番号情報の番号の順序性を検証する終端機能と、
シーケンス番号情報の飛び越しを検出した場合には欠落したシーケンス番号情報分のフレームのデータを情報チャネルとして補完するデータ補完機能と、
シーケンス番号情報の重複を検出した場合には重複したシーケンス番号分のフレームのデータを廃棄するデータ廃棄機能と
を備えた伝送装置。
【請求項８】
請求項１に記載の伝送装置において、前記第２同期読出制御部は、パケット信号から固定帯域信号への変換を行うプロセスで、前記第２情報格納バッファの、入力側のパケット形式データと出力側の固定帯域信号の単位時間あたりのデータ量を監視し、不均衡を検出した場合に伝送区間の障害を検出する伝送装置。
【請求項９】
請求項１に記載の伝送装置において、前記第２同期読出制御部は、パケット信号から固定帯域信号への変換を行うプロセスで、前記第２情報格納バッファの入力側のパケット形式データの受信周期又はデータキュー長を監視し、受信周期が固定帯域情報の帯域から導かれる受信周期の期待値又はデータキュー長の上限若しくは下限より許容範囲を超えて逸脱した場合に伝送区間の障害を検出する伝送装置。
【請求項１０】
請求項１に記載の伝送装置において、前記保守管理情報検出部は、入力情報に対する出力警報及び出力方向を記憶したテーブルを備え、前記テーブルを参照して保守管理情報を生成し、出力方向に対応して、前記付加情報組立部又は前記保守管理情報付与部に保守管理情報を出力する伝送装置。
【発明の詳細な説明】
【技術分野】
【０００１】
本発明は、伝送装置に係り、パケット伝送ネットワークにより固定帯域の信号を回線エミュレーションして伝送する伝送装置に関する。パケットとしては、特に、ＩＥＥＥ８０２．３規定のＭＡＣフレームおよびＩＰフレームに関係するが、これに限られない。
【背景技術】
【０００２】
本発明における第一の従来技術として、ＩＴＵ−Ｔ勧告Ｇ．７０７に規定されるＳＤＨ伝送方式（非特許文献１）や、同勧告Ｇ．７０３に規定されるＰＤＨ伝送方式（非特許文献２）が存在する。本勧告Ｇ．７０７によれば、１２５μ秒を単位として規定されたフレーム構造に、６４ｋｂｉｔ／ｓの整数倍の帯域を持つ固定帯域チャネルのマッピング方法が規定されている。また、各種のＯＡＭ（Ｏｐｅｒａｔｉｏｎ  Ａｄｍｉｎｉｓｔｒａｔｉｏｎ  Ｍａｉｎｔｅｎａｎｃｅ）情報がオーバーヘッドと呼ばれる固定帯域タイムスロットとして定義されている。一方、ＰＤＨ方式においては、フレーム周期やマッピング方法が必ずしも１２５μ秒を単位としているとは限らないが、固定帯域チャネルやＯＡＭ情報をマッピングするタイムスロットが固定的に定義されている点は同じである。
【０００３】
また、第二の従来技術として同勧告Ｉ．３６３．１（非特許文献３）が存在する。本勧告によれば、５３バイト長のＡＴＭセルと呼ばれる固定長パケットに固定帯域信号をマッピングする方法がＡＡＬ１として規定されている。具体的なマッピング方法としては、セルの伝送損失やセルヘッダの誤りによる誤配送を検出するため、４８バイトのペイロード中１バイトを用いて、シーケンス番号をＣＲＣ保護情報を付与して伝送している。残った４７バイトの領域が情報チャネルをマッピングする領域である。また、ＯＡＭ情報に関しては同勧告Ｉ．６１０に規定されているように、ＶＰないしＶＣ等のレイヤ毎にＯＡＭセルと呼ばれるＯＡＭ情報転送に専用のセルが規定されており、信号チャネルとＯＡＭ情報は異なるパケットにて転送されている。
【０００４】
さらに第三の従来技術として、ＩＥＴＦ（インターネット・エンジニアリング・タスク・フォース）において議論されている方法で、インターネットドラフトdraft-ietf-pwe3-sonet-01にてＰＷＥ３（スード・ワイヤー・エミュレーション）として公開されている方式が存在する。この方法はＩＰフレームのペイロード内に、シーケンス番号やポインタからなるオーバーヘッドを付与し、さらにＲＴＰをはじめとする複数レイヤのプロトコルフレームに情報チャネルを格納して送信する方法である。      
【非特許文献１】ＩＴＵ−Ｔ  Ｇ．７０７／Ｙ．１３２２（１２／２００３），ＳＥＲＩＥＳ  Ｇ：ＴＲＡＮＳＭＩＳＳＩＯＮ  ＳＹＳＴＥＭＳ  ＡＮＤ  ＭＥＤＩＡ，ＤＩＧＩＴＡＬ  ＳＹＳＴＥＭＳ  ＡＮＤ  ＮＥＴＷＯＲＫＳ，Ｄｉｇｉｔａｌ  ｔｅｒｍｉｎａｌ  ｅｑｉｐｍｅｎｔｓ−Ｇｅｎｅｒａｌ，Ｎｅｔｗｏｒｋ  ｎｏｄｅ  ｉｎｔｅｒｆａｃｅ  ｆｏｒ  ｔｈｅ  Ｓｙｎｃｈｒｏｎｏｕｓ  Ｄｉｇｉｔａｌ  Ｈｉｅｒａｒｃｈｙ（ＳＤＨ）
【非特許文献２】ＩＴＵ−Ｔ  Ｇ．７０３（１１／２００１），ＳＥＲＩＥＳ  Ｇ：ＴＲＡＮＳＭＩＳＳＩＯＮ  ＳＹＳＴＥＭＳ  ＡＮＤ  ＭＥＤＩＡ，ＤＩＧＩＴＡＬ  ＳＹＳＴＥＭＳ  ＡＮＤ  ＮＥＴＷＯＲＫＳ，Ｄｉｇｉｔａｌ  ｔｅｒｍｉｎａｌ  ｅｑｉｐｍｅｎｔｓ−Ｇｅｎｅｒａｌ，Ｐｈｙｓｉｃａｌ／ｅｌｅｃｔｒｉｃａｌ  ｃｈａｒａｃｔｅｒｉｓｔｉｃｓ  ｏｆ  ｈｉｅｒａｒｃｈｉｃａｌ  ｄｉｇｉｔａｌ  ｉｎｔｅｒｆａｃｅｓ
【非特許文献３】ＩＴＵ−Ｔ  Ｉ．３６３．１（０８／９６），ＳＥＲＩＥＳ  Ｉ：ＩＮＴＥＧＲＡＴＥＤ  ＳＥＲＶＩＣＥＳ  ＤＩＧＩＴＡＬ  ＮＥＴＷＯＲＫＳ，Ｏｖｅｒａｌｌ  ｎｅｔｗｏｒｋｓ  ａｓｐｅｃｔｓ  ａｎｄ  ｆｕｎｃｔｉｏｎｓ−Ｐｒｏｔｏｃｏｌ  ｌａｙｅｒ  ｒｅｑｕｉｒｅｍｅｎｔｓ，Ｂ−ＩＳＤＮ  ＡＴＭ  Ａｄａｐｔａｔｉｏｎ  Ｌａｙｅｒ  ｓｐｅｃｉｆｉｃａｔｉｏｎ：Ｔｙｐｅ  １  ＡＡＬ
【発明の開示】
【発明が解決しようとする課題】
【０００５】
近年インターネットに媒介されたデータ通信の発展により、音声トラヒックをデータトラヒックが上回る状況が発生している。そして、ＩＰフレームやＩＥＥＥ８０２．３準拠のＭＡＣフレームを用いたデータ通信は、企業内通信のみならず加入者系や中継系に広く適用され、標準としての地位を固めつつある。ＩＰフレームやＩＥＥＥ８０２．３準拠のＭＡＣフレームを用いたデータ通信においては、音声のようなリアルタイム性が求められることは少なく、通信中のビット誤りに起因するパケット損失が発生しても、端末−端末間でのパケット再送によりデータ損失を補うことができる。そのため、中継伝送装置として簡素な構成で低コストのスイッチやハブ、メディアコンバーター等の装置を採用したＩＰ−ＶＰＮ網や広域イーサーネット網の構築が急ピッチで進んでいる。さらに今後のデータトラヒックの伸びに合わせて、これらの普及がさらに進み、一層の低コスト化も期待される。
【０００６】
一方で従来の音声、専用線、ＡＴＭ伝送装置は、低遅延、高信頼度の装置構成が求められ、また生産台数も限られていたため、コスト高となる傾向が強かった。これら従来のネットワークでは、ピーク帯域に対応してネットワークリソースを固定的に割り当てるネットワークであるため、帯域の増大に伴ってコストひいてはユーザーが負担する通信料金が増大することが避けられない。一方、データトラヒックにおいては短時間は高速度を要するものの大部分の時間は中速度の平均帯域を持つことから、パケットデータネットワークはユーザー間で帯域を共有することでネットワークリソースの増大を抑えている。そこで、上位アプリケーションに影響を及ぼさない程度の遅延量の増加や信頼性の低下を受け入れてでも、低コストのネットワークを求めるユーザーの要望が増加しつつある。また、キャリアとしても今後需要の伸びるＩＰ−ＶＰＮ網や広域イーサーネット網へ投資の重点を移し、従来の音声、専用線、ＡＴＭ伝送網への追加投資は抑制する方向にある。しかしながら、従来の音声、専用線、ＡＴＭに対応したエンドユーザー向けサービスは引き続き提供する必要があるため、当面は従来のネットワークとデータネットワークの両方を保有しなければならない。このコスト負担を減らすためには、ＩＰ−ＶＰＮ網や広域イーサーネット網等のデータネットワークに、従来の音声、専用線、ＡＴＭサービスを収容することで空いた従来ネットワークを順次廃棄していく手段が今後要望されると考えられる。
【０００７】
ところで、パケットのペイロード長がヘッダ長に比較して十分長くなければ、パケット化による転送効率の低下が顕著となり望ましくない。しかし、音声やプライマリーレートサービス（１．５Ｍｂｉｔ／ｓ）等の低速サービスを十分長いパケットペイロードが全て埋まるまで遅延させると、固定帯域サービスの要求条件である低遅延が満足できなくなる。この制約を解消するために、複数チャネルの情報を多重化して１つのパケットにマッピングすることにより、高い効率と低遅延を両立させることが可能である。
【０００８】
本発明が解決する第１の課題は、ＩＰ−ＶＰＮ網や広域イーサーネット網等のデータネットワークに、従来の音声、専用線、ＡＴＭサービスを収容する手段を提供することである。これらの従来サービスを収容するとは、単にユーザーチャネル情報を転送するのみならず、警報転送、網クロック、性能監視等従来ネットワークが備えていたＯＡＭ情報を合わせて転送する機能を有する必要がある。
【０００９】
本発明が解決する第２の課題は、途中までは同一経路を転送されるが、最終目的地の異なるユーザーチャネル情報を途中までは同一パケットに多重し、データネットワーク内でチャネルを組み替えてそれぞれの最終目的地まで転送する手段を提供することである。
【課題を解決するための手段】
【００１０】
上記の課題を解決するために、本発明のネットワークは固定帯域信号をパケット信号に変換する伝送装置と、同一パケットに複数ユーザーチャネルの信号を多重化する多重化装置と、同一パケット内に多重化された複数のユーザーチャネルを組み替えて別の方路に転送するクロスコネクト装置を備える。
【００１１】
固定帯域信号をパケット信号に変換するに当たり、ルーティング情報が格納されるパケットヘッダに加えて、ＯＡＭ情報を転送するために付加情報ビットを付与する。また、最終目的地の異なるユーザーチャネル情報を途中までは同一パケットに多重するために、多重化前のエンド・ツー・エンドに張られたレイヤの下位に、多重化セクションのレイヤを定義し、エンド・ツー・エンドレイヤではユーザーチャネル毎に、多重化セクションレイヤではセクションコネクション毎に、上記パケットヘッダと付加情報ビットを付与する。付加情報としては、警報転送情報、性能情報、タイミング情報／ポインタ、シーケンス番号、信号種別ラベル等が必要に応じて付与される。
【００１２】
本発明の第１の解決手段によると、
固定帯域信号をパケット信号に変換およびその逆変換を行い、伝送区間の通信状態を相互に伝達し合う保守管理情報をパケット形式のデータの内部に付加情報として埋め込むための伝送装置であって、
固定帯域信号を終端し、主信号情報と保守管理情報とに分離する第１固定帯域信号終端部と、
前記第１固定帯域信号終端部の出力から主信号情報を受け取り格納する第１情報格納バッファと、
前記第１情報格納バッファから固定帯域信号の主信号情報の読み出しを制御する第１同期読出制御部と、
前記第１固定帯域信号終端部の出力から保守管理情報を検出する保守管理情報検出部と、
前記保守管理情報検出部及び前記第１同期読出制御部から出力された情報に基づき、時分割多重回線での物理レイヤでの警報を伝達するためのアラーム又は回線品質を伝達するためのエラーに関する通信状態表示情報と、固定帯域信号の先頭位置を示すポインタとを含む、パケット信号に付加するための付加情報を生成する付加情報組立部と、
前記第１情報格納バッファから出力された固定帯域信号を多重又は分離した所定長のデータと、前記付加情報組立部から出力された付加情報とをペイロードに含め、ルーチング情報を含むヘッダを付加してフレームを組み立て、パケット信号として出力するためのフレーム組立部と、
パケット信号を終端するフレーム終端部と、
前記フレーム終端部が受信したパケット信号の付加情報を終端する付加情報分離部と、
前記フレーム終端部が受信したパケット信号の主信号情報を受け取り格納する第２情報格納バッファと、
前記第２情報格納バッファから固定帯域信号の読み出しを制御する第２同期読出制御部と、
前記保守管理情報検出部及び前記付加情報分離部より受信した情報をもとに、保守管理情報を組み立てる保守管理情報付与部と、
前記第２情報格納バッファより読み出された主信号情報と前記保守管理情報付与部より受信した保守管理情報とに基づき固定帯域信号を組み立て、送出する第２固定帯域信号終端部と、
を備えた前記伝送装置
が提供される。
【発明の効果】
【００１３】
本発明は、ＩＰ−ＶＰＮ網や広域イーサーネット網等のデータネットワークに、従来の音声、専用線、ＡＴＭサービスを収容することが可能となり、従来のネットワークとデータネットワークの両方を保有するコスト負担を減らすことができる。
【発明を実施するための最良の形態】
【００１４】
以下、本発明の実施形態について、図面を用いて説明する。
図１は、本実施の形態によるネットワークの構成を示すブロック図である。このネットワークは従来からのＳＴＭ網（Ｓｙｎｃｈｒｏｎｏｕｓ  Ｔｒａｎｓｆｅｒ  Ｍｏｄｕｌｅ）１０１−１、２、イーサネット（登録商標）ワーク網またはＩＰパケット網１０２、本実施の形態に関わる固定帯域信号をパケット信号に変換する、あるいは逆変換を行うＳＴＭ−ＩＰ変換装置１０３−１、２、ＳＴＭ網に接続される端末１０４−１〜４、イーサネット（登録商標）ワーク網またはＩＰパケット網に接続される端末１０５−１、２を備える。
【００１５】
端末装置１０４−１はＳＴＭ網１０１−１を介して、端末装置１０４−２は直接、ＳＴＭ−ＩＰ変換装置１０３−１に収容される。ＳＴＭ−ＩＰ変換装置１０３−１は、ＳＴＭ網１０１−１を収容し、イーサフレームまたはＩＰパケットに変換し、イーサネット（登録商標）ワーク網またはＩＰパケット網１０２へ信号を送出する。イーサネット（登録商標）ワーク網またはＩＰパケット網１０２は、ＳＴＭ−ＩＰ変換装置１０３−１、２、およびイーサネット（登録商標）ワーク網またはＩＰパケット網に接続される端末１０５−１、２に接続され、それぞれの装置から入力されたイーサフレームまたはＩＰパケットのルーチングを行う。ＳＴＭ−ＩＰ変換装置１０３−２は、イーサネット（登録商標）ワーク網またはＩＰパケット網１０２より受信した信号をＳＴＭフレームに再構成し、ＳＴＭ網１０１−２を介してＳＴＭに接続される端末１０１−２または直接ＳＴＭに接続される端末１０４−３に信号を送出する。
【００１６】
上記説明では、ＳＴＭ網に接続される端末１０４−１から１０４−４への信号の流れについて説明を行ったが、ＳＴＭに接続される端末１０４−４から１０４−１への信号の流れについても同様のプロトコル変換が行われ、双方向の信号送受信が可能である。
【００１７】
図２は、レイヤ２スイッチングを行う場合の、イーサネット（登録商標）ワーク網内でのネットワーク構成を示すブロック図である。このネットワークは、図１に示されるイーサネット（登録商標）ワーク網１０２の部分パケット網１０２−１〜５、本実施の形態に関わる、同一パケット内に多重化された複数のユーザチャネルを組み替えて別の方路に転送するクロスコネクト装置２０１−１、２、同一パケットに複数のユーザチャネルの信号を多重する多重化装置２０２−１、２、３を備える。また図中、Ｌ２Ａレイヤ２０３、Ｌ２Ｂレイヤ２０４−１、２が示される。ここでは、Ｌ２（レイヤ２）をさらにＬ２ＡレイヤとＬ２Ｂレイヤとに分割している、Ｌ２Ａレイヤとは、レイヤ２スイッチ間をエンドツーエンドに透過するレイヤを指し、Ｌ２Ｂレイヤとは、多重化装置、クロスコネクト装置間で終端されるレイヤを指す。
【００１８】
多重化装置２０２−１、２、３は、イーサフレームの多重化を行い、多重化されたデータは、直接又は部分パケット網１０２−１〜５により、クロスコネクト装置２０１−１、２０１−２に接続される。クロスコネクト装置２０１−１、２０１−２では、レイヤ２スイッチングを行う。スイッチング情報の伝達は、Ｌ２Ｂレイヤの付加情報により行われ、クロスコネクト装置２０１−１、２０１−２において付加情報の終端および生成が行われる。Ｌ２Ａレイヤの付加情報については、クロスコネクト装置２０１−１、２０１−２では透過となり、ＳＴＭ−ＩＰ変換装置１０３−１、２にて終端および生成が行われる。
【００１９】
図３は、レイヤ３スイッチングを行う場合の、ＩＰパケット網内でのネットワーク構成を示すブロック図である。このネットワークは図１に示されるＩＰパケット網１０２の部分パケット網１０２−６〜１０、本実施の形態に関わる、同一パケット内に多重化された複数のユーザチャネルを組み替えて別の方路に転送するクロスコネクト装置２０１−３、４、Ｌ３スイッチ３０１−１、２を備える。また、図中Ｌ３Ｂレイヤ３０２−１〜３、Ｌ３Ａレイヤ３０３が示される。ここで、Ｌ３（レイヤ３）をさらにＬ３ＡレイヤとＬ３Ｂレイヤとに分割している。Ｌ３ＡレイヤとはＩＰパケット網をエンドツーエンドに透過するレイヤを指し、Ｌ３ＢレイヤとはＬ３スイッチ間で終端されるレイヤを指す。
【００２０】
部分パケット網１０２−６〜１０は、クロスコネクト装置２０１−３、４に接続され、イーサフレームのスイッチングを行い、スイッチングされたデータは、Ｌ３スイッチ３０１−１、２に接続される。Ｌ３スイッチ３０１−１、２では、Ｌ３スイッチングを行う。スイッチング情報の伝達は、Ｌ３Ｂレイヤの付加情報により行われ、Ｌ３スイッチ３０１−１、２において付加情報の終端および生成が行われる。Ｌ３Ａレイヤの情報については、クロスコネクト装置では透過となり、ＳＴＭ−ＩＰ変換装置１０３−１、２にて終端および生成が行われる。
【００２１】
図４は、イーサネット（登録商標）ワーク網またはＩＰパケット網を通過するイーサネット（登録商標）フレームまたはＩＰパケットのフォーマットを示している。Ｌ３Ａレイヤにおいては、Ｌ３ヘッダ４０５−１、Ｌ３Ａ付加情報４０４、Ｌ３Ｂ付加情報４０３−１、Ｌ２情報格納領域４０２−１、Ｌ３トレイラ４０１−１を含む。Ｌ３Ｂレイヤにおいては、Ｌ３ヘッダ４０５−２、Ｌ３Ｂ付加情報４０３−２、Ｌ２情報格納領域４０２−２、Ｌ３トレイラ４０１−２を含む。Ｌ２Ａレイヤにおいては、Ｌ２ヘッダ４０９−１、Ｌ２Ａ付加情報４０８、Ｌ２Ｂ付加情報４０７−１、ＴＤＭ情報格納領域４０６−１、Ｌ２トレイラ４１０−１を含む。Ｌ２Ｂレイヤにおいては、Ｌ２ヘッダ４０９−２、Ｌ２Ｂ付加情報４０７−２、ＴＤＭ情報格納領域４０６−２、Ｌ２トレイラ４１０−２を含む。
【００２２】
Ｌ２Ｂレイヤにおいては、ＴＤＭ情報が、ＴＤＭ情報格納領域４０６−２に格納され、ＴＤＭ情報格納領域４０６−２の直前にＬ２Ｂ付加情報４０７−２が付加され、先頭部にＬ２ヘッダ４０９−２、トレイラ部にＬ２トレイラ４１０−２が付加される。Ｌ２Ａレイヤにおいては、Ｌ２Ｂレイヤより受け取ったＬ２Ｂ付加情報４０７−１、ＴＤＭ情報格納領域４０６−２に対し、直前にＬ２Ａ付加情報４０８を付加し、先頭部にＬ２ヘッダ４０９−１、トレイラ部にＬ２トレイラ４１０−１を付加する。Ｌ３Ｂレイヤにおいては、Ｌ２Ａレイヤより受信した情報をＬ２情報格納領域４０２−２に格納し、直前にＬ３Ｂ付加情報４０３−２を付加し、先頭にＬ３ヘッダ４０５−２、トレイラ部にＬ３トレイラ４０１−２を付加する。Ｌ３Ａレイヤにおいては、Ｌ３Ｂレイヤより受け取ったＬ３Ｂ付加情報４０３−１、Ｌ２情報格納領域４０２−１に対し、直前にＬ３Ａ付加情報４０４を付加し、先頭部にＬ３ヘッダ４０５−１、トレイラ部にＬ３トレイラ４０１−１を付加する。
【００２３】
図５は、各レイヤで付加を行う情報の内容を示している。付加情報５０８、パケットの欠落、重複、順序入れ替わりを検出するためのシーケンスナンバ（ＳＮ）５０１、ＴＤＭ情報の先頭位置を示すポインタ（ＰＴＲ）５０２、ＴＤＭ多重回線での物理レイヤ警報を伝達するためのアラーム（ＡＬＭ）５０３、物理レイヤでの回線品質を伝達するためのエラー情報（ＥＲＲ）５０４、多重化を行ったＴＤＭ情報の多重化方法を示すラベル（ＬＡＢＥＬ）５０５、ＴＤＭ情報の長さをあらわすレングス情報（ＬＥＮ）５０６を含む。
【００２４】
図６は、ＴＤＭ情報のカプセル化の方法を示している。
図５と図６の５０７はＬ２Ｂ付加情報であるという意味でレイヤ概念的には一致する。しかし、図５ではＳＮ以下６つの情報を実施例として挙げているのみ対して、図６では一例として、ＳＮとＰＴＲの２つのみを実施例として挙げている。付加情報としては、これに限らず、適宜の種類又は個数を用いることができる。
【００２５】
イーサネット（登録商標）フレーム構成６０１、ＭＡＣプリアンブル６０１−１、ペイロード６０１−２、ＥＯＦ（Ｅｎｄ  ｏｆ  Ｆｒａｍｅ）６０１−３を含む。フレーム６０２はペイロード６０１−２の中身を記したもので、ＤＡ（Ｄｅｓｔｉｎａｔｉｏｎ  Ａｄｄｒｅｓｓ）６０２−１、ＳＡ（Ｓｏｕｒｃｅ  Ａｄｄｒｅｓｓ）６０２−２、ＴＹＰＥ６０２−３、ＭＡＣ  Ｐａｙｌｏａｄ６０２−４、ＦＣＳ（Ｆｒａｍｅ  Ｃｈｅｃｋ  Ｓｅｑｕｅｎｃｅ）６０２−５を含む。フレーム６０３はＭＡＣ  Ｐａｙｌｏａｄ  ６０２−４の中身を示したもので、Ｓｙｎｃｈｒｏｎｏｕｓ  ｈｅａｄｅｒ６０３−１、Ｓｙｎｃｈｒｏｎｏｕｓ  ｐａｙｌｏａｄ６０３−２を含む。
【００２６】
フレーム６０５はＴＤＭ信号を示しており、ＶＣ１１（１）６０５−１、ＶＣ１１（２）６０５−２、ＶＣ１１（３）６０５−３は、ＶＣ１１（１）〜（３）の順番に信号が送出されていることを示す。フレーム６０４はｉ番目のＴＤＭ信号のためのフレーム構成を示したもので、ＭＡＣ  Ｈｅａｄｅｒ６０４−１、ＳＮ（Ｓｅｒｉａｌ  Ｎｕｍｂｅｒ）６０４−２、ＰＴＲ（Ｐｏｉｎｔｅｒ）６０４−３、ＶＣ１１（１）６０４−４、ＶＣ１１（２−１）６０４−５、ＥＯＦ６０４−６を含む。フレーム６０６は（ｉ＋１）番目のＴＤＭ信号のためのフレーム構成を示したもので、ＭＡＣ  Ｈｅａｄｅｒ６０６−１、ＳＮ（Ｓｅｒｉａｌ  Ｎｕｍｂｅｒ）６０６−２、ＰＴＲ（Ｐｏｉｎｔｅｒ）６０６−３、ＶＣ１１（２−２）６０６−４、ＶＣ１１（３）６０６−５、ＥＯＦ６０６−６を含む。
【００２７】
図６のフレーム６０１中のＰａｙｌｏａｄに、フレーム６０４のＭＡＣ  ｈｅａｄｅｒからＶＣ１１（２−１）までが格納される。フレーム６０１のＥＯＦとフレーム６０４のＥＯＦは同じである。なお、フレーム６０２中のＤＡ＋ＳＡ＋Ｔｙｐｅがフレーム６０４のＭＡＣ  ｈｅａｄｅｒと一致する。それぞれ、Ｌ２ＢフレームのＬ２ヘッダが、フレーム６０４のＭＡＣヘッダ（＝フレーム６０２のＤＡ＋ＳＡ＋Ｔｙｐｅ）、Ｌ２ＢフレームのＬ２Ｂ付加情報が、フレーム６０４のＳＮ＋ＰＴＲ、Ｌ２ＢフレームのＴＤＭ格納情報が、フレーム６０４のＶＣ１１（１）＋ＶＣ１１（２−１）、Ｌ２ＢフレームのＬ２トレイラが、フレーム６０４のＥＯＦに対応する。ここでは、図４のＬ２Ｂフレームのみを図６の実施例にとりあげている。なお、Ｌ２Ａ、Ｌ３の付加情報に関しても、同様に適応できる。
【００２８】
ｉ番目のフレームにおいて、ペイロード部には、（ｉ−１）番目に収容することができなかった残りのＶＣ１１（１）信号が多重され、ＶＣ１１（１）信号の多重が終了すると、間を空けることなく直ちにＶＣ１１（２）の収容が行われる。ＶＣ１１（２）の先頭は、付加情報５０７の一部であるポインタ６０４−３により示される。ＶＣ１１（２）のすべての情報がフレーム内に多重されない場合は、情報の多重が途中で打ち切られ、ＥＯＦ  ６０４−６が挿入される。残りのＶＣ１１（２）の情報については、（ｉ＋１）番目のフレームのペイロード部分の先頭から多重され、ＶＣ１１（２）信号の多重が終了すると、間を空けることなく直ちにＶＣ１１（３）の収容が行われる。ＶＣ１１（３）の先頭は、付加情報５０７の一部であるポインタ６０６−３により示される。以降のフレームについても、同様に情報の多重が途中で打ち切られ、次のフレームの先頭から多重が行われ、多重化が終了し、次のＴＤＭ信号の多重化開始点をポインタにより指定する。
【００２９】
図７は、ＳＴＭ−ＩＰ変換装置の構成を示したものである。ＳＴＭ−ＩＰ変換装置１０３は、固定帯域信号をパケット信号に変換およびその逆変換を行い、伝送区間の通信状態を相互に伝達し合う保守管理情報をパケット形式のデータの内部に付加情報として埋め込むための伝送装置である。
【００３０】
ＳＴＭ−ＩＰ変換装置１０３は、固定帯域信号終端部８０１、情報格納バッファ８０２、ＯＡＭ情報検出部８０３、同期読出制御部８０４、フレームカウンタ８０５、付加情報組立部８０６、多重部８０７、ＭＡＣフレーム組立部８０８、物理インタフェース部８０９、ＯＡＭ情報付与部８１０、付加情報分離部８１１、分離部８１２、ＭＡＣフレーム終端部８１３、物理インタフェース部８１４、固定帯域信号終端部８１５、情報格納バッファ８１６、同期読出制御部８１７、インタフェース部８２１、データバッファ部８２２、データバッファ部８２３、サブフレーム組立部８２４、サブフレーム終端部８２５、パケット組立部８２６、パケット終端部８２７を備える。
【００３１】
固定帯域信号終端部８０１は、固定帯域信号を終端し、主信号情報と保守管理情報とに分離する。情報格納バッファ８０２は、前記固定帯域信号終端部８０１の出力から主信号情報を受け取り格納する。ＯＡＭ情報検出部８０３は、前記固定帯域信号終端部８０１の出力から保守管理情報を検出する。同期読出制御部８０４は、前記情報格納バッファ８０２から固定帯域信号の主信号情報の読み出しを制御する。付加情報組立部８０６は、ＯＡＭ情報検出部８０３及び前記同期読出制御部８０４から出力された情報に基づき、時分割多重回線での物理レイヤでの警報を伝達するためのアラーム又は回線品質を伝達するためのエラーに関する通信状態表示情報と、固定帯域信号の先頭位置を示すポインタとを含む、パケット信号に付加するための付加情報を生成する。ＭＡＣフレーム組立部８０８は、情報格納バッファ８０２から出力された固定帯域信号を多重又は分離した所定長のデータと、前記付加情報組立部８０６から出力された付加情報とをペイロードに含め、ルーチング情報を含むヘッダを付加してフレームを組み立て、パケット信号として出力する。
【００３２】
ＭＡＣフレーム終端部８１３は、パケット信号を終端する。付加情報分離部８１１は、ＭＡＣフレーム終端部８１３が受信したパケット信号の付加情報を終端する。情報格納バッファ８１６は、ＭＡＣフレーム終端部８１３が受信したパケット信号の主信号情報を受け取り格納する。同期読出制御部８１７は、情報格納バッファ８１６から固定帯域信号の読み出しを制御する。ＯＡＭ情報付与部８１０は、ＯＡＭ情報検出部８０３及び付加情報分離部８１１より受信した情報をもとに、保守管理情報を組み立てる。固定帯域信号終端部８１５は、情報格納バッファ８１６より読み出された主信号情報と前記ＯＡＭ情報付与部８１０より受信した保守管理情報とに基づき固定帯域信号を組み立て、それを送出する。
【００３３】
ＭＡＣフレーム終端部８１３は、受信シーケンス番号情報の番号の順序性を検証する終端機能と、シーケンス番号情報の飛び越しを検出した場合には欠落したシーケンス番号情報分のフレームのデータを情報チャネルとして補完するデータ補完機能と、シーケンス番号情報の重複を検出した場合には重複したシーケンス番号分のフレームのデータを廃棄するデータ廃棄機能と、を備えることができる。
【００３４】
同期読出制御部８１７は、パケット信号から固定帯域信号への変換を行うプロセスで、前記情報格納バッファ８１６の、入力側のパケット形式データと出力側の固定帯域信号の単位時間あたりのデータ量を監視し、不均衡を検出した場合に伝送区間の障害を検出することができる。また、同期読出制御部８１７は、パケット信号から固定帯域信号への変換を行うプロセスで、前記情報格納バッファ８１６の入力側のパケット形式データの受信周期又はデータキュー長を監視し、受信周期が固定帯域情報の帯域から導かれる受信周期の期待値又はデータキュー長の上限若しくは下限より許容範囲を超えて逸脱した場合に伝送区間の障害を検出することができる。
【００３５】
ＯＡＭ情報検出部８０３、付加情報組立部８０６及び／又はＯＡＭ情報付与部８１０は、物理インタフェース部の警報状態を情報チャネルの通信可否状態に変換して情報伝送方向に伝える前方警報情報と、前方警報情報に基づいて対向側に通信可否状態を伝える後方警報情報を生成し、付加情報の通信状態表示情報として含めることができる。また、ＯＡＭ情報検出部８０３は、入力情報に対する出力警報及び出力方向を記憶したテーブルを備え、前記テーブルを参照して保守管理情報を生成し、出力方向に対応して、付加情報組立部８０６又は前記ＯＡＭ情報付与部８１０に保守管理情報を出力することができる。
【００３６】
以上のような構成において、固定帯域信号終端部８０１に入力されたＴＤＭ信号は、主信号に関わる情報を情報格納バッファ８０２に、警報情報に関わる情報をＯＡＭ情報検出部８０３に分離して送られる。情報格納バッファ８０２に蓄積された情報は、同期読出制御８０４により１例としてＳＴＭ信号の多重化周期である１２５μ秒の整数倍の周期で読み出される。付加情報組立部８０６は、ＯＡＭ情報検出部８０３よりＯＡＭ情報を受け取り、イーサフレームに付加するＯＡＭ付加情報を生成する。また同期読出制御部８０４からＴＤＭ信号の多重、先頭信号に関する情報を受け取り、シーケンスナンバー、ポインタ等のＯＡＭ付加情報を生成する。このＯＡＭ付加情報には、例えば図５で説明したシーケンスナンバー、ポインタ、アラーム（警報）、エラー情報、ラベル、レングス等が含まれるが、本実施の形態では主に警報情報について詳細な実施の形態を後程説明する。情報格納バッファ８０２より読み出されたデータと付加情報組立部８０６により組み立てられた情報は、多重部８０７により多重され、ＭＡＣフレーム組立部８０８によりＭＡＣフレームに組み立てられ、物理インタフェース部８０９を介してパケット網に送出される。
【００３７】
一方、物理インタフェース部８１４に入力されたパケット信号は、ＭＡＣフレーム終端部８１３によりＭＡＣ終端され、分離部８１２により、主信号に関わる情報は情報格納バッファ８１６に、警報情報に関わる情報は付加情報分離部８１１に分離される。情報格納バッファ８１６は、同期読み出し制御８１７によりタイミング制御されて読み出される。ＯＡＭ情報付与部８１０は、ＯＡＭ情報検出部８０３および／または付加情報分離部８１１より受信した情報をもとにＯＡＭ情報を組み立て、固定帯域信号終端部８１５に情報を送出する。固定帯域信号終端部８１５は、情報格納バッファ８１６より読み出された情報とＯＡＭ情報付与部８１０より受信した情報をＴＤＭ信号に組み立て、ＴＤＭ網に送出する。
付加情報に、さらに、フレームの欠落、重複又は順序入れ替わりを検出するためのシーケンス番号情報を含むことができる。付加情報に、さらに、情報チャネルの多重化方法を示す信号ラベル情報を含むことができる。付加情報に、さらに、フレームの情報長を示すフレーム長情報を含み、ＭＡＣフレーム終端部８１３は、フレーム長情報を参照して複数のフレームを識別することができる。付加情報は、信号の伝達方向の通信状態を通知する前方警報情報と、前方警報情報に基づいて対向側に通信可否状態を伝える後方警報情報を含むことができる。
【００３８】
ＭＡＣサブフレーム組立部８０８で付加する信号ラベル情報にはサブフレームに多重する情報チャネルの帯域を表示する帯域情報を含むことができる。また、この信号ラベル情報にはサブフレームに多重する情報チャネルの固定帯域側の周期フレーム数を表示する多重化フレーム数情報を含むことができる。
【００３９】
ＭＡＣフレーム組立部８０８で組み立てかつＭＡＣフレーム終端部８１３で終端するパケットの形式は、ＩＥＥＥ  ８０２．３で規定されたＭＡＣフレーム又はＩＥＴＦのＲＦＣ  ０７９１で規定されたＩＰフレームの形式とすることができる。
【００４０】
図８は、多重化装置の動作例を示したものである。図中、多重化装置２０２、イーサフレーム７０１、７０２、イーサフレーム中のＳＴＭ情報７０１−１、７０２−１、ＭＡＣヘッダ７０１−２、７０２−２、多重化装置内で付与されるラベル７０３−１、２、多重化部７０４、ＭＡＣヘッダ７０５、多重化後のイーサフレーム７０６が示される。
【００４１】
イーサフレーム７０１、７０２は、多重化装置２０２により、ＭＡＣヘッダ７０１−２、７０２−２が終端され、ＳＴＭ情報７０１−１、７０２−１の先頭にラベル７０３−１、７０３−２を付与され、多重化部７０４により多重化され、ＭＡＣヘッダ７０５を付与され、多重化装置２０２から送出される。
【００４２】
図９は、多重化装置の構成を示したものである。図８で説明した動作を実現するために、多重化装置２０２は、ＶＬＡＮフレーム終端部９５１−１、２、ＯＡＭ情報分離部９５２−１、２、情報格納バッファ９５３−１、２、同期読出制御９５４−１、２、付加情報組立部９５５−１、２、多重部９５６−１、２、フレームカウンタ９５７、多重部９５８、ＶＬＡＮフレーム組立部９５９を備える。
【００４３】
ＶＬＡＮフレーム終端部９５１−１、２に入力されたイーサフレームは、主信号部分に関わる情報は情報格納バッファ９５３−１、２に、警報情報に関わる情報はＯＡＭ情報検出部９５２−１、２に分離される。情報格納バッファ９５３−１、２は、同期読出制御９５４−１、２によりタイミング制御されて読み出される。付加情報組立部９５５−１、２は、ＯＡＭ情報検出部９５２−１、２より受信した情報をもとに付加情報を組み立てる。多重部９５６−１、２は、情報格納バッファ９５３−１、２より読み出された情報と、付加情報組立部９５５−１、２より受信した情報を多重する。多重部９５８は、多重部９５６−１、２より受信した情報を多重し、ＶＬＡＮフレーム組立部９５９に送出する。ＶＬＡＮフレーム組立部９５９は、多重部９５８より受信した情報にＶＬＡＮタグを付加し、パケット網に信号を送出する。
【００４４】
図１０は、クロスコネクト装置の動作例を示したものである。図中、イーサフレーム９０１、９０２、９０６、９０７、ＳＴＭ情報９０１−１、９０１−３、９０２−１、９０２−３、ラベル９０１−２、９０１−４、９０２−１、９０２−４、ＭＡＣヘッダ９０１−５、９０２−５、分離部９０３、スイッチ部９０４、多重化部９０５、ＭＡＣヘッダ９０６−１、９０７−１、クロスコネクト装置２０１が示される。
【００４５】
クロスコネクト装置２０１は、分離部９０３により、入力されたイーサフレーム９０１、９０２のＭＡＣヘッダを分離し、ラベルとＳＴＭ情報とに分離する。スイッチ部９０４は、ラベルによりスイッチングを行う。多重化部９０５では、スイッチングされた情報を多重化し、ＭＡＣヘッダを付加し、イーサフレーム９０６、９０７を生成し、パケット網へ送出する。
【００４６】
図１１は、クロスコネクト装置の構成例を示したものである。図１０で説明した動作を実現するために、クロスコネクト装置は、サブフレーム分離部１００１−１、２、スイッチ制御情報付加部１００２−１、２、フレームスイッチ１００３、スイッチ制御情報削除部１００４−１、２、サブフレーム組立部１００５−１、サブフレーム分離部およびスイッチ制御情報付加部１１１４、パケット終端部１０１０−１、２、パケット組立部１０１１−１、２を備える。
【００４７】
サブフレーム分離部１００１−１、２は、パケット終端部１０１０−１、２より受信したサブフレームを分解し、スイッチ制御情報付加部１００２−１、２に送出する。スイッチ制御情報付加部１００２−１、２は、サブフレーム分離部１００１−１、２より受信した情報にスイッチ制御情報を付加し、フレームスイッチ１００３に送出する。フレームスイッチ１００３は、スイッチ制御情報に従い、パケットのスイッチングを行う。スイッチ制御情報削除部１００４−１、２は、フレームスイッチよりスイッチングされたパケットを受信し、スイッチ制御情報を削除し、サブフレーム組立部１００５−１、２に送出する。サブフレーム組立部１００５−１、２は、スイッチ制御情報削除部より受信した情報をサブフレームに組み立て、パケット組立部１０１１−１、２を経由してパケット網に送出する。
【００４８】
図１２は、図１１で説明したサブフレーム分離部、スイッチ制御情報付加部の詳細な構成例を示したものである。サブフレーム分離部１００１は、分離部１１０１、ＯＡＭ情報検出部１１０３、スイッチ制御情報検出部１１０４、制御タイミング生成部１１０５を備える。スイッチ制御情報検出部１００２は、情報格納バッファ１１０６、同期読出制御１１０７、スイッチ制御情報組立部１１０８、ＯＡＭ情報組立部１１０９、は制御タイミング生成部１１１０、多重部１１１１、サブフレーム分離部１００１、スイッチ制御情報付加部１００２を備える。
【００４９】
分離部１１０１では、主信号に関わる情報を情報格納バッファ１１０６、スイッチ制御情報をスイッチ情報検出部１１０４に、警報情報に関わる情報をＯＡＭ情報検出部１１０３に分離する。ＯＡＭ情報検出部１１０３では、警報の検出を行う。スイッチ情報検出部１１０４では、スイッチ制御情報の検出を行い、情報をスイッチ制御情報組立部１１０８に送出する。情報格納バッファ１１０６は、同期読み出し制御部１１０７により、タイミング制御されて読み出される。ＯＡＭ情報組立部１１０９では、付加するＯＡＭ情報の組み立てを行う。多重部１１１１では、情報格納バッファ１１０６より読み出された情報、スイッチ制御情報組立部１１０８より組み立てられたスイッチ制御情報、およびＯＡＭ情報組立部１１０９により組み立てられたＯＡＭ情報の多重化を行い、パケット網に送出する。
【００５０】
図１３は、ＳＴＭ−ＩＰ変換装置での警報転送の一例を示したものである。図のように変換装置１０３、ＳＴＭ網１０１及びパケット網１０２に接続される。図中各ノードは、ＡＩＳ（Ｓｅｃｔｉｏｎ）受信１２０７、ＲＥＣ受信１２０８、ＡＩＳ（Ｃｈａｎｎｅｌ）受信１２０９、ＡＩＳ（Ｃｈａｎｎｅｌ）生成１２１０、ＢＡＩＳ（Ｃｈａｎｎｅｌ）生成１２１１、ＢＡＩＳ（Ｃｈａｎｎｅｌ）受信１２１２、ＡＩＳ（Ｃｈａｎｎｅｌ）受信１２１３、ＢＡＩＳ（Ｓｅｃｔｉｏｎ）生成１２１４、ＢＵＦ（Ｂｕｆｆｅｒ  ＵｎｄｅｒＦｌｏｗ）検出１２１６、ＢＯＦ（Ｂｕｆｆｅｒ  ＯｖｅｒＦｌｏｗ）検出１２１７、ＬＦＣ検出１２１８、Ｌｉｎｋ断検出１２１９を示している。なお、●は検出、○は生成を示す。
【００５１】
ＳＴＭ−ＩＰ変換装置１０３においては、ＡＩＳ（Ｓｅｃｔｉｏｎ）  １２０７、ＲＥＣ  １２０８を受信した場合、それぞれの警報を検出し、ＡＩＳ（Ｃｈａｎｎｅｌ）  １２０９を検出し、ＡＩＳ（Ｃｈａｎｎｅｌ）  １２１０を生成し、パケット網１０２へ警報を送出する。この動作は図７中のＯＡＭ情報検出部８０３で処理される。
【００５２】
図１５にＯＡＭ情報検出部８０３における入力情報に対する出力警報及び出力方向についての対応テーブルを示す。図示のように、ＯＡＭ情報検出部８０３は入力警報に対して定められた転送警報を出力するテーブルを備える。このテーブルは、メモリーテーブルや組み合わせ論理回路の形で実現される。
【００５３】
ここで、ＡＩＳとは伝送の上流で障害が発生し、下流（前方方向）に正常な信号が転送できないことを示す警報であり、Ｓｅｃｔｉｏｎとは隣接する伝送装置間に張られた伝送の単位である。すなわち、ＡＩＳ（Ｓｅｃｔｉｏｎ）とは、上流の伝送装置でＳｅｃｔｉｏｎ単位の障害が発生していることを下流に通知する警報である。さらにＣｈａｎｎｅｌは網を通じてエンドユーザー間で通信を行う伝送単位であり、ＡＩＳ（ｃｈａｎｎｅｌ）とは上流の伝送装置でｃｈａｎｎｅｌ単位の障害が発生していることを下流に通知する警報である。複数のＣｈａｎｎｅｌは網の内部で多重化されてＳｅｃｔｉｏｎとしてまとめられるので、伝送装置にてＳｅｃｔｉｏｎ単位の障害が発生した場合、多重化されているｃｈａｎｎｅｌすべてに障害が波及するため、対応するＡＩＳ（ｃｈａｎｎｅｌ）を下流に向けて送出する。またＲＥＣとは伝送装置の受信部で検出される警報であり、受信信号断等が相当する。伝送装置がＲＥＣを検出した場合も、多重化されているｃｈａｎｎｅｌすべてに障害が波及するため、対応するＡＩＳ（ｃｈａｎｎｅｌ）を下流に向けて送出する。
【００５４】
上記に加えてＳＴＭ−ＩＰ変換装置１０３においては、ＢＡＩＳ（Ｓｅｃｔｉｏｎ）  １２１４を生成し、ＳＴＭ網１０１へ警報を送出する。ここでＢＡＩＳとは、上流装置に向けて張られている逆方向のリンクを用いて、上流装置に対して逆方向リンクで障害が発生していることを通知するものである。伝送装置がＡＩＳ（Ｓｅｃｔｉｏｎ）またはＲＥＣを検出した場合、上流方向（後方方向）へＢＡＩＳを送信する。
【００５５】
また、変換装置１０３は、パケット網１０２よりＢＡＩＳ（Ｃｈａｎｎｅｌ）  １２１２を受信した場合、警報を検出する。ここで、ＢＡＩＳ（Ｃｈａｎｎｅｌ）はｃｈａｎｎｅｌ単位で上流の逆方向リンクで障害が発生していることを示すものであるため、障害として検出するが、それ以上の警報転送は行わない。
【００５６】
変換装置１０３は、パケット網１０２よりＬｉｎｋ断１２１９を受信した場合、Ｌｉｎｋ断警報を検出し、同時にＢＵＦ警報、ＬＦＣ警報を検出する。変換装置１０３は、パケット網１０２よりＢＵＦ  １２１６、ＢＯＦ  １２１７、ＬＦＣ  １２１８を受信した場合、それぞれの警報を検出し、ＡＩＳ（Ｃｈａｎｎｅｌ）  １２１３警報を検出し、ＢＡＩＳ（Ｃｈａｎｎｅｌ）  １２１１警報を生成し、パケット網１０２へ送出する。ここで、Ｌｉｎｋ断警報は、光パワー断等により検出されるＬｉｎｋの異常を示す警報である。ＢＵＦ警報は、情報格納バッファが入力パケットが到着しないことによって空になり、周期的に読み出されるべき信号がないアンダーフロー状態に陥っていることを示す警報である。逆にＢＯＦ警報は、情報格納バッファから情報を周期的に読み出すことができなくなり、バッファがオーバーフローを起こしている状態を示す警報である。ＬＦＣは、受信フレームが正しく受信できていないことを示す警報である。パケット網におけるＬＦＣ警報の１実施例として、周期的に到着する予定のパケットが既定の検出時間を超えて到着しないことで、フレームが途絶えていることを検出することができる。変換装置１０３がＬｉｎｋ断警報を検出すると、フレームが受信できなくなると共にバッファアンダーフローが発生するため、ＢＵＦおよびＬＦＣを後段に送信する。また、多重化されているｃｈａｎｎｅｌも転送できないため、ＡＩＳ（ｃｈａｎｎｅｌ）およびＢＡＩＳ（ｃｈａｎｎｅｌ）を送出する。
【００５７】
図１６に、ＢＯＦおよびＢＵＦを検出する回路例を示す。図７中の情報格納バッファ８１６を制御する同期読出制御部８１７は、書込アドレス指示部１５０１、読出アドレス指示部１５０２、周期カウンタ１５０３、減算器１５０４、比較器１５０５を備える。書込アドレス指示部１５０１および読出アドレス指示部１５０２は、周期カウンタ１５０３の出力する周期信号に基づいて一定周期で動作するため、情報格納バッファ８１６に格納されている情報の長さは、揺らぎによる偏差を除いて基本的には一定値である。情報格納バッファ８１６への入力が止まると、書込アドレス指示部１５０１は書き込むべき信号がなくなることにより書き込み動作を停止し、これにより、減算器１５０４の出力が判定しきい値ａを超えるために比較器１５０５はＢＵＦを検出する。情報格納バッファ８１６からの出力が止まると、読出アドレス指示部１５０２は読み出すべき信号がなくなることにより読み出し動作を停止し、これにより、減算器１５０４の出力が判定しきい値ｂを超えるために比較器１５０５はＢＯＦを検出する。
図１４は、ＳＴＭ−ＩＰ変換装置での他の警報転送例を示したものである。図中、ＩＰ  Ｐ−ＡＩＳ生成１３０１、ＩＰ  Ｐ−ＢＡＩＳ生成１３０２、ＩＰ  Ｐ−ＢＡＩＳ受信１３０３、ＩＰ  Ｐ−ＡＩＳ受信１３０４が示される。これらの警報は、図１３でｃｈａｎｎｅｌ警報として扱っていた警報を、ＩＰリンクによって張られたパスの警報として定義し直したものである。
【００５８】
具体的に図１３と図１４とで異なる点を以下に示す。変換装置１０３は、ＡＩＳ（Ｓｅｃｔｉｏｎ）  １２０７警報またはＲＥＣ  １２０８警報検出時、ＩＰ  Ｐ−ＡＩＳ  １３０１警報を生成し、パケット網１０２に送出する。変換装置１０３は、パケット網１０２よりＩＰ  Ｐ−ＢＡＩＳ受信時、ＩＰ  Ｐ−ＢＡＩＳ  １３０３警報を検出する。変換装置１０３は、ＩＰ  Ｐ−ＡＩＳ  １３０４警報、ＢＵＦ  １２１６警報、ＢＯＦ  １２１７警報、およびＬＦＣ  １２１８警報受信時、ＩＰ  Ｐ−ＢＡＩＳ  １３０２を生成し、パケット網１０２に警報を送出する。
【産業上の利用可能性】
【００５９】
本発明によれば、ＩＰ−ＶＰＮ網や広域イーサーネット網等のデータネットワークに、従来の音声、専用線、ＡＴＭサービスを収容することが可能となり、従来のネットワークとデータネットワークの両方を保有するコスト負担を減らすことができる。
【図面の簡単な説明】
【００６０】
【図１】本発明の実施形態によるネットワークの構成を示すブロックの１実施例である。
【図２】本発明により、レイヤ２スイッチングを行う場合の、イーサネット（登録商標）ワーク網内でのネットワーク構成を示すブロックの１実施例である。
【図３】本発明により、レイヤ３スイッチングを行う場合の、ＩＰパケット網内でのネットワーク構成を示すブロックの１実施例である。
【図４】イーサネット（登録商標）ワーク網またはＩＰパケット網を通過するイーサネット（登録商標）フレームまたはＩＰパケットのフォーマットの１実施例である。
【図５】各レイヤで付加を行う情報の内容の１実施例である。
【図６】ＴＤＭ情報のカプセル化の方法を示した１実施例である。
【図７】ＳＴＭ−ＩＰ変換装置の構成の１実施例である。
【図８】多重化装置の動作内容の１実施例である。
【図９】多重化装置の構成の１実施例である。
【図１０】クロスコネクト装置の動作内容の１実施例である。
【図１１】クロスコネクト装置の構成の１実施例である。
【図１２】サブフレーム分離部、スイッチ制御情報付加部の構成の１実施例である。
【図１３】ＳＴＭ−ＩＰ変換装置での警報転送の一実施例である。
【図１４】ＳＴＭ−ＩＰ変換装置での警報転送の一実施例である。
【図１５】ＯＡＭ情報検出部の一実施例である。
【図１６】ＢＯＦおよびＢＵＦを検出する回路の一実施例である。
【符号の説明】
【００６１】
１０１…従来からのＳＴＭ網
１０２…イーサネット（登録商標）ワーク網またはＩＰパケット網
１０３…ＳＴＭ−ＩＰ変換装置
１０４…ＳＴＭ網に接続される端末
１０５…イーサネット（登録商標）ワーク網またはＩＰパケット網に接続される端末
２０１…クロスコネクト装置
２０２…多重化装置
２０３…Ｌ２Ａレイヤ
２０４…Ｌ２Ｂレイヤ
３０１…Ｌ３スイッチ
３０２…Ｌ３Ｂレイヤ
３０３…Ｌ３Ａレイヤ
４０１…Ｌ３トレイラ
４０２…Ｌ２情報格納領域
４０３…Ｌ３Ｂ付加情報
４０４…Ｌ３Ａ付加情報
４０５…Ｌ３ヘッダ
４０６…ＴＤＭ情報格納領域
４０７…Ｌ２Ｂ付加情報
４０８…Ｌ２Ａ付加情報
４０９…Ｌ２ヘッダ
４１０…Ｌ２トレイラ
５０１…シーケンスナンバ
５０２…ポインタ
５０３…アラーム
５０４…エラー情報
５０５…ラベル
５０６…レングス
５０８…付加情報全体
６０１…イーサネット（登録商標）フレーム構成
６０１−１…ＭＡＣプリアンブル
６０１−２…ペイロード
６０１−３…ＥＯＦ
６０２…ペイロードの中身
６０２−１…ＤＡ
６０２−２…ＳＡ
６０２−３…ＴＹＰＥ
６０２−４…ＭＡＣ  Ｐａｙｌｏａｄ
６０２−５…ＦＣＳ
６０３…ＭＡＣ  Ｐａｙｌｏａｄの中身
６０３−１…Ｓｙｎｃｈｒｏｎｏｕｓ  ｈｅａｄｅｒ
６０３−２…Ｓｙｎｃｈｒｏｎｏｕｓ  ｐａｙｌｏａｄ
６０４…ｉ番目のフレーム構成
６０４−１…ＭＡＣ  Ｈｅａｄｅｒ
６０４−２…ＳＮ
６０４−３…ＰＴＲ
６０４−４…ＶＣ１１（１）
６０４−５…ＶＣ１１（２−１）
６０４−６…ＥＯＦ
６０５…ＴＤＭ信号
６０５−１…ＶＣ１１（１）
６０５−２…ＶＣ１１（２）
６０５−３…ＶＣ１１（３）
６０６…（ｉ＋１）番目のフレーム構成
６０６−１…ＭＡＣ  Ｈｅａｄｅｒ
６０６−２…ＳＮ
６０６−３…ＰＴＲ
６０６−４…ＶＣ１１（２−２）
６０６−５…ＶＣ１１（３）
６０６−６…ＥＯＦ
８０１…固定帯域信号終端部
８０２…情報格納バッファ
８０３…ＯＡＭ情報検出部
８０４…同期読み出し制御
８０５…フレームカウンタ
８０６…付加情報組立部
８０７…多重部
８０８…ＭＡＣフレーム組立部
８０９…物理インタフェース部
８１０…ＯＡＭ情報付与部
８１１…付加情報分離部
８１２…分離部
８１３…ＭＡＣフレーム終端部
８１４…物理インタフェース部
８１５…固定帯域信号終端部
８１６…情報格納バッファ
８１７…同期読み出し制御部
８２１…インタフェース部
８２２…データバッファ部
８２３…データバッファ部
８２４…サブフレーム組立部
８２５…サブフレーム終端部
８２６…パケット組立部
８２７…パケット終端部
７０１…イーサフレーム
７０１−１…ＳＴＭ情報
７０１−２…ＭＡＣヘッダ
７０２…イーサフレーム
７０２−１…ＳＴＭ情報
７０２−２…ＭＡＣヘッダ
７０３−１…ラベル
７０３−２…ラベル
７０４…多重化部
７０５…ＭＡＣヘッダ
７０６…イーサフレーム
９５１…ＶＬＡＮフレーム終端部
９５２…ＯＡＭ情報分離部
９５３…情報格納バッファ
９５４…同期読出制御
９５５…付加情報組立部
９５６…多重部
９５７…フレームカウンタ
９５８…多重部
９５９…ＶＬＡＮフレーム組立部
９０１…イーサフレーム
９０１−１…ＳＴＭ情報
９０１−２…ラベル
９０１−３…ＳＴＭ情報
９０１−４…ラベル
９０１−５…ＭＡＣヘッダ
９０２…イーサフレーム
９０２−１…ＳＴＭ情報
９０２−２…ラベル
９０２−３…ＳＴＭ情報
９０２−４…ラベル
９０２−５…ＭＡＣヘッダ
９０３…分離部
９０４…スイッチ部
９０５…多重化部
９０６…イーサフレーム
９０６−１…ＭＡＣヘッダ
９０７…イーサフレーム
９０７−１…ＭＡＣヘッダ
１００１…サブフレーム分離部
１００２…スイッチ制御情報付加部
１００３…フレームスイッチ
１００４…スイッチ制御情報削除部
１００５…サブフレーム組立部
１０１０…パケット終端部
１０１１…パケット組立部
１１０１…分離部
１１０３…ＯＡＭ情報検出部
１１０４…スイッチ制御情報検出部
１１０５…制御タイミング生成部
１１０６…情報格納バッファ
１１０７…同期読出制御
１１０８…スイッチ制御情報組立部
１１０９…ＯＡＭ情報組立部
１１１０…制御タイミング生成部
１１１１…多重部
１１１４…サブフレーム分離部およびスイッチ制御情報付加部
１２０７…ＡＩＳ（Ｓｅｃｔｉｏｎ）受信
１２０８…ＲＥＣ受信
１２０９…ＡＩＳ（Ｃｈａｎｎｅｌ）受信
１２１０…ＡＩＳ（Ｃｈａｎｎｅｌ）生成
１２１１…ＢＡＩＳ（Ｃｈａｎｎｅｌ）生成
１２１２…ＢＡＩＳ（Ｃｈａｎｎｅｌ）受信
１２１３…ＡＩＳ（Ｃｈａｎｎｅｌ）受信
１２１４…ＢＡＩＳ（Ｓｅｃｔｉｏｎ）生成
１２１６…ＢＵＦ検出
１２１７…ＢＯＦ検出
１２１８…ＬＦＣ検出
１２１９…Ｌｉｎｋ断検出
１３０１…ＩＰ  Ｐ−ＡＩＳ生成
１３０２…ＩＰ  Ｐ−ＢＡＩＳ生成
１３０３…ＩＰ  Ｐ−ＢＡＩＳ受信
１３０４…ＩＰ  Ｐ−ＡＩＳ受信
１５０１…書込アドレス指示部
１５０２…読出アドレス指示部
１５０３…周期カウンタ
１５０４…減算器
１５０５…比較器
【図１】
2005244470.tif 000003
【図２】
2005244470.tif 000004
【図３】
2005244470.tif 000005
【図４】
2005244470.tif 000006
【図５】
2005244470.tif 000007
【図６】
2005244470.tif 000008
【図７】
2005244470.tif 000009
【図８】
2005244470.tif 000010
【図９】
2005244470.tif 000011
【図１０】
2005244470.tif 000012
【図１１】
2005244470.tif 000013
【図１２】
2005244470.tif 000014
【図１３】
2005244470.tif 000015
【図１４】
2005244470.tif 000016
【図１５】
2005244470.tif 000017
【図１６】
2005244470.tif 000018